(57)【特許請求の範囲】
【請求項１】
一端側から、他端側に入射した発光部からの光を出射させて基板上の受光センサに導くライトガイドと、前記受光センサを遮光するように前記基板に取り付けられ、前記ライトガイドの一端部側を長さ方向の複数箇所で固定するライトガイド保持体とを有し、前記ライトガイド保持体は、前記ライトガイドの一端部を前記受光センサのセンサ軸に合わせて固定する第１固定部と、前記第１固定部に対して前記センサ軸方向に離隔した位置で前記ライトガイドの一部を固定する第２固定部とを少なくとも有することを特徴とする受光装置。
【請求項２】
前記ライトガイド保持体は、前記ライトガイドのうち、前記第１固定部及び前記第２固定部によって固定される部分とは異なる部分を固定する第３固定部を有し、前記第３固定部を前記ライトガイドの前記第２固定部からの引き出し方向に応じて設けたことを特徴とする請求項１に記載の受光装置。
【請求項３】
前記ライトガイド保持体の前記第２固定部は、前記受光センサのセンサ軸方向に延び、この先端部で前記ライトガイドを固定することを特徴とする請求項１または２に記載の受光装置。
【請求項４】
前記ライトガイド保持体の前記第２固定部は、前記先端部において、前記ライトガイドと当接して、前記第１固定部側を向く傾斜面を有することを特徴とする請求項３に記載の受光装置。
【請求項５】
前記ライトガイド保持体は、前記第１固定部と前記第２固定部との間で前記ライトガイドを湾曲させた状態で保持していることを特徴とする請求項４に記載の受光装置。
【請求項６】
前記ライトガイドは光ファイバであることを特徴とする請求項１乃至５のいずれか一つに記載の受光装置。
【請求項７】
請求項１乃至６のいずれか一つに記載の受光装置を有し、前記発光部を閃光放電管とし、前記閃光放電管の発光量を前記受光センサにより検出することを特徴とするストロボ装置。
【発明の詳細な説明】
【０００１】
【発明の属する技術分野】
本発明は、光ファイバを介して閃光放電管の発光をプリント基板上に装着された受光センサに導くことにより閃光放電管の発光量を検出する受光装置およびこの受光装置を内蔵したストロボ装置に関し、特に、一端から発光が入射する光ファイバの他端と受光センサとを、受光センサに上記発光のみが入射するようにプリント基板を介して連結・固着する連結固着部材を備えた受光装置およびこの受光装置を内蔵したストロボ装置に関するものである。
【０００２】
【従来の技術】
光ファイバを介して閃光放電管の発光を受光するプリント基板上に装着された受光センサを含む受光装置、およびこの受光装置を内蔵し、受光装置における受光センサの受光量と、例えば適宜の基準レベルとの比較に基づいて発光光量を制御するストロボ装置は従来から周知である。
【０００３】
例えば、実開昭６１−１２１４３２号公報には、閃光放電管の閃光光量を検知する受光器を閃光放電管から離れた位置に配置し、上記閃光放電管の閃光光の一部を上記受光器へ導くライトガイドを設けた構成のストロボ装置が開示されている。
【０００４】
ここでライトガイドの設置構成についてみてみると、その閃光光入射端については、閃光放電管の電極部付近に位置させる例と、閃光光を導光できる透明プラスチックに設けられたガイド受けに装着した例が示されており、一方、閃光光出射端については、受光素子を覆うようにして実装基板に固着されるガイド保持枠に保持した例が示されている。
【０００５】
なお、この提案装置は、ライトガイドにより閃光光を受光器に導くことにより受光器を閃光放電管から離れた位置に配置したことから、閃光発光開始時に発生する電気的ノイズが受光器の出力に乗りにくく、電気的ノイズによる誤動作を防止することができ、また受光器を実装基板上に配置できることから、受光器と実装基板間の接続線をより短くあるいは無くすことができ、この点においても上記電気的ノイズが接続線を介して進入することが無く有利となる。
【０００６】
【発明が解決しようとする課題】
先の提案装置は電気的ノイズに対して耐性を有することになるが、ライトガイドの実装基板に設けられた受光器との連結構造について詳細に見てみると、ライトガイドの先端部を保持枠により固着保持する構造、換言すると、ライトガイドを先端部一点にて固着保持する構造となっている。
【０００７】
このため、ライトガイドとして小径の光ファイバを採用した場合、外部から力が加えられることにより、ともすればライトガイドが折れてしまう不都合を生じるおそれを有している。
【０００８】
特に、近年電気機器分野で強く要望され、ストロボ装置も例外ではない小型化展開を図った場合、実装基板や他の電気・機構部品の配置位置との関係でライトガイドのストロボ装置内での配置スペースの自由度が小さくなることからどうしても屈曲配置が必要となり、ストロボ装置の製造作業時、屈曲作業自体や他の部品との接触によりライトガイドに対して外力が加わることがある。
【０００９】
外力が加わると、ライトガイドは固着保持されている先端部を支点として屈曲することになり、この先端部に応力が集中し、したがって加えられた外力の大きさによっては、ライトガイドは先端部もしくは先端部近傍にて折れてしまう不都合を生じることになる。
【００１０】
本出願に係る発明は、上述したような不都合点を考慮してなしたもので、光ファイバが不用意に折れることの無い受光装置およびこの受光装置を内蔵したストロボ装置を提供することを目的とする。
【００１１】
【課題を解決するための手段】
第１の発明は、一端側から、他端側に入射した発光部からの光を出射させて基板上の受光センサに導くライトガイドと、前記受光センサを遮光するように前記基板に取り付けられ、前記ライトガイドの一端部側を長さ方向の複数箇所で固定するライトガイド保持体とを有し、前記ライトガイド保持体は、前記ライトガイドの一端部を前記受光センサのセンサ軸に合わせて固定する第１固定部と、前記第１固定部に対して前記センサ軸方向に離隔した位置で前記ライトガイドの一部を固定する第２固定部とを少なくとも有することを特徴とする受光装置とするものである。
【００１２】
第２の発明は、上記第１の発明で、前記ライトガイド保持体は、前記ライトガイドのうち、前記第１固定部及び前記第２固定部によって固定される部分とは異なる部分を固定する第３固定部を有し、前記第３固定部を前記ライトガイドの前記第２固定部からの引き出し方向に応じて設けたことを特徴とする。
【００１３】
第３の発明は、上記いずれかの発明で、前記ライトガイド保持体の前記第２固定部は、前記受光センサのセンサ軸方向に延び、この先端部で前記ライトガイドを固定することを特徴とする。
【００１４】
第４の発明は、上記第３の発明で、前記ライトガイド保持体の前記第２固定部は、前記先端部において、前記ライトガイドと当接して、前記第１固定部側を向く傾斜面を有することを特徴とする。
【００１５】
第５の発明は、上記第４の発明で、前記ライトガイド保持体は、前記第１固定部と前記第２固定部との間で前記ライトガイドを湾曲させた状態で保持していることを特徴とする。
【００１６】
第６の発明は、上記いずれかの発明で、前記ライトガイドは光ファイバであることを特徴とする。
【００１７】
第７の発明は、上記いずれかの発明の受光装置を有し、前記発光部を閃光放電管とし、前記閃光放電管の発光量を前記受光センサにより検出することを特徴とするストロボ装置。
【００１８】
このように、ライトガイドとしての光ファイバの一端部側をライトガイド保持体に一端部を含めて２点または３点等の複数箇所で固定し保持するので、光ファイバの一端部への応力の集中を防止することができる。
【００１９】
【発明の実施の形態】
図１、図２は、本発明による受光装置の一実施の形態の要部であるライトガイドとしての光ファイバ１と受光センサ２の連結部周辺の分解斜視図とその一部組立拡大断面図である。
【００２０】
本実施の形態において、受光センサ２は、増幅回路等の周辺回路と共に矩形形状のセンサチップ３として一体化されてプリント基板４上に装着、固定されている。プリント基板４には、センサチップ３の近傍にネジ穴５が形成されている。
【００２１】
ライトガイド保持体としての連結保持部材６は、樹脂材による一体成形で、本体枠７と、固定部９と、第１固着保持部（第１固定部）８と、第２固着保持部（第２固定部）１０と、第３固着保持部（第３固定部）１１とが形成され、本体枠７がセンサチップ３の全体を覆うように嵌合することにより、受光センサ２はこの本体枠７にて覆われ、外部から遮光される。
【００２２】
本実施の形態における第１固着保持部８は、本体枠７を貫通する受光センサと対向する小孔の装着孔８Ｂを備えた筒状突起８Ａにて形成され、光ファイバ１はその先端部１Ａを装着孔８Ｂに嵌入した後に、図２の一部組立拡大断面図に示したように、適宜の接着剤１４で固着することにより、本体枠７に対して固着保持され、受光センサ２のセンサ軸と光ファイバ１の先端部１Ａの中心軸とを一致させている。
【００２３】
また、連結保持部材６の固定部９にはネジ挿通穴部１２が形成されていて、プリント基板４に設けられたネジ穴５にネジ挿通穴部１２を通したネジ１３をねじ込むことにより、固定部９がプリント基板４に固定され、これにより本体枠７を含む連結保持部材６がプリント基板４に固定される。
【００２４】
また、本体枠７の一側辺には、プリント基板４との固定構成を形成する固定部９が形成されると共に、第１固着保持部８（装着孔８Ｂ）と隣り合う位置に柱状の第２固着保持部１０が立設されている。
【００２５】
第２固着保持部１０のうち、装着孔８Ｂ側の面の上部には、第２固着保持部１０の長手方向に対して傾斜した溝部としての先端保持部１０Ａが形成され、光ファイバ１の先端部１Ａ近傍の第１被係止部分１Ｂがこの先端保持部１０Ａの傾斜に沿って接着剤１４により接着固定され、この傾斜によって光ファイバ１の先端部分が若干湾曲した状態で保持されることになる。
【００２６】
さらに、本体枠７には、第２固着保持部１０を挟んで装着孔８Ｂと反対方向に水平に（プリント基板４の表面に沿って）延びる第３固着保持部１１が設けられている。
【００２７】
この第３固着保持部１１は、略Ｌ字形状を呈して本体枠７から一体的にその長辺部１１Ａが第２固着保持部１０と直交する方向に突出して設けられており、長辺部１１Ａの先端部の上部に、長辺部１１Ａが延びる面内で長辺部１１Ａと直交するように短辺部１１Ｂが水平方向に突設されており、この短辺部１１Ｂは、装着孔８Ｂと第２固着保持部１０とを結ぶ略直線上に位置している。
【００２８】
そして、第２固着保持部１０から光ファイバ１を第３固着保持部１１の短辺部１１Ｂに向けて引き回し、該短辺部１１Ｂの下部１１ＢＡに当接させて接着剤１４により接着固定させる。その際、光ファイバ１は、先端部１Ａから見て第１被係止部分１Ｂより遠方の第２被係止部分１Ｃが第１固着保持部８と略同じ水平レベルで短辺部１１Ｂに固着保持されるので、図２に示すように、第２固着保持部１０と第３固着保持部１１との間において緩やかな曲線を描いて保持される。
【００２９】
本実施の形態における受光装置は上述したように構成されることから、まず光ファイバ１の先端部１Ａ、第１被係止部分１Ｂおよび第２被係止部分１Ｃの３点を連結保持部材６の第１、第２、第３固着保持部８，１０，１１に固着してユニット化し、その後、光ファイバ１が固着されているユニット化された連結保持部材６をプリント基板４にその固定部９を介して固着することにより、図２に示したように、光ファイバ１の先端部１Ａが受光センサ２の受光面に対して直交した状態で取り付けられることになる。
【００３０】
すなわち、本実施の形態においては、先端部１Ａを含む３点にて光ファイバ１を連結保持部材６に固着するという２部材のみによる屈曲作業により、予め所望の屈曲状態を得ることができ、さらにこの予め所望の屈曲状態に屈曲させた状態でプリント基板４への固着作業等、その後の装置製造作業を行えることから、所望の屈曲状態への屈曲作業を先端部１点のみを固着する構成にて行う場合に比して屈曲に伴う発生応力を分散でき、換言すれば先端部への応力集中を大きく軽減できることになる。
【００３１】
加えて、ストロボ装置としての製造を考えると、光ファイバ１をストロボ装置の他の部品に関係なく光ファイバ１と連結保持部材６の２部材のみにて予め所望の屈曲状態に屈曲させることができ、この点において光ファイバ１のストロボ装置内での所望配置状態への設定作業を簡素化できる。
【００３２】
なお、連結保持部材６における第１、第２固着保持部８，１０の受光センサ２に対する絶対位置を、予定している光ファイバ１の屈曲状態を考慮して設定することにより、具体的には第１、第２固着保持部８，１０の形成方向や形成長等を光ファイバ１の所望屈曲状態を考慮して適宜設定することにより、所望の屈曲状態を光ファイバ１の先端部１Ａに対する応力集中を生じることなく得られることになる。
【００３３】
図３は上記した実施の形態の受光装置を内蔵したストロボ装置の概略断面図を示している。
【００３４】
図３において、本体外部モールドＡ内に反射傘受本体モールドＢが配置され、この反射傘受本体モールドＢに反射傘Ｄが配置され、反射傘Ｄの前面に光学パネルＥが配置され、さらに反射傘Ｄの奥に閃光放電管Ｃが配置されている。光ファイバ１の光入射端１xは、反射傘Ｄの前方で本体外部モールドＡ及び反射傘Ｄの間に光学パネルＥと対向するように配置され、接着部Ｂxにより接着固定されている。
【００３５】
閃光放電管Ｃが発光すると、光学パネルＥには、閃光放電管Ｃからの直接光と反射傘Ｄにて反射された光が入射し、その一部は、光学パネルＥ内を進んで光ファイバ１の光入射端１xに到達して受光センサ２に導かれる。
【００３６】
【発明の効果】
本発明による受光装置およびこの受光装置を内蔵したストロボ装置は、ライトガイドとしての光ファイバの一端部側を先端部を含む２点または３点等の複数点にてライトガイド保持体に固定しているので、光ファイバの所望屈曲状態への屈曲作業時に発生する応力を分散することができ、同作業時に光ファイバが折れるという不都合の発生を防止することができる効果を有している。
【図面の簡単な説明】
【図１】本発明による受光装置の一実施の形態の要部を示す要部分解斜視図。
【図２】同要部の一部組立拡大断面図。
【図３】図１の受光装置を組み込んだストロボ装置を示す概略断面図。
【符号の説明】
１ 光ファイバ
２ 受光センサ
３ センサチップ
４ プリント基板
５ ネジ穴
６ 連結保持部材
７ 本体枠
８ 第１固着保持部
９ 固定部
１０ 第２固着保持部
１１ 第３固着保持部
１２ ネジ挿通穴部
１３ ネジ
【図１】
0004542694.tif 000002
【図２】
0004542694.tif 000003
【図３】
0004542694.tif 000004